【手続補正書】
【提出日】平成22年8月13日(2010.8.13)
【手続補正１】
【補正対象書類名】特許請求の範囲
【補正対象項目名】全文
【補正方法】変更
【補正の内容】
【特許請求の範囲】
【請求項１】
通信システムにおいて基地局と少なくとも１つのユーザ機器との間でダウンリンクサブフレーム及びアップリンクサブフレームを通信する方法であって、
該方法は、
前記少なくとも１つのユーザ機器へ前記基地局によって第１のダウンリンクサブフレームを送信すること、
前記基地局から送信された前記第１のダウンリンクサブフレームを前記少なくとも１つのユーザ機器によって受信すること、
前記少なくとも１つのユーザ機器におけるアップリンク送信開始時間の決定用に予め準備されたタイミング進み値を、前記少なくとも１つのユーザ機器へ前記基地局によって送信すること、
前記基地局から送信された前記タイミング進み値を前記少なくとも１つのユーザ機器によって受信すること、
前記少なくとも１つのユーザ機器によって受信された前記タイミング進み値と、アップリンクサブフレームを送信するタイミングを決定する前に準備されたインクリメンタル値とに基づいて、前記アップリンクサブフレームを送信するタイミングを前記少なくとも１つのユーザ機器によって決定すること、
前記アップリンクサブフレームを送信するタイミングを決定することにおいて決定された前記タイミングで、前記アップリンクサブフレームを前記基地局へ前記少なくとも１つのユーザ機器によって送信すること、
前記少なくとも１つのユーザ機器によって送信された前記アップリンクサブフレームを、前記第１のダウンリンクサブフレームの送信の終りから第１の期間後に前記基地局によって受信すること、及び
前記アップリンクサブフレームの受信の終りから第２の期間後に、前記少なくとも１つのユーザ機器へ前記基地局によって第２のダウンリンクサブフレームを送信すること
を含み、
前記第１のダウンリンクサブフレーム、前記アップリンクサブフレーム、前記第１の期間、及び前記第２の期間の継続時間の合計は、シンボル継続時間の整数倍に等しいか、又は複数のシンボル継続時間の整数倍の合計に等しい、方法。
【請求項２】
前記インクリメンタル値は、前記基地局が受信モードから送信モードにスイッチングするためのスイッチング継続期間以上である、請求項１記載のダウンリンクサブフレーム及びアップリンクサブフレームを通信する方法。
【請求項３】
前記インクリメンタル値は、シンボル継続時間の整数倍とは異なる、請求項１記載のダウンリンクサブフレーム及びアップリンクサブフレームを通信する方法。
【請求項４】
前記インクリメンタル値は、前記ユーザ機器が送信モードから受信モードにスイッチングするためのスイッチング継続期間以上である、請求項１記載のダウンリンクサブフレーム及びアップリンクサブフレームを通信する方法。
【手続補正２】
【補正対象書類名】明細書
【補正対象項目名】発明の名称
【補正方法】変更
【補正の内容】
【発明の名称】通信システムにおいてダウンリンクサブフレーム及びアップリンクサブフレームを通信する方法
【手続補正３】
【補正対象書類名】明細書
【補正対象項目名】００５５
【補正方法】変更
【補正の内容】
【００５５】
本発明は、通信システムにおいて基地局と少なくとも１つのユーザ機器との間でダウンリンクサブフレーム及びアップリンクサブフレームを通信する方法を開示することにより、この課題を解決することを意図しており、
当該方法は、
少なくとも１つのユーザ機器へ基地局によって第１のダウンリンクサブフレームを送信すること、
基地局から送信された第１のダウンリンクサブフレームを少なくとも１つのユーザ機器によって受信すること、
少なくとも１つのユーザ機器におけるアップリンク送信開始時間の決定用に予め準備されたタイミング進み値を、少なくとも１つのユーザ機器へ基地局によって送信すること、
基地局から送信されたタイミング進み値を少なくとも１つのユーザ機器によって受信すること、
少なくとも１つのユーザ機器によって受信されたタイミング進み値と、アップリンクサブフレームを送信するタイミングを決定する前に準備されたインクリメンタル値とに基づいて、アップリンクサブフレームを送信するタイミングを少なくとも１つのユーザ機器によって決定すること、
アップリンクサブフレームを送信するタイミングを決定することにおいて決定されたタイミングで、アップリンクサブフレームを基地局へ少なくとも１つのユーザ機器によって送信すること、
少なくとも１つのユーザ機器によって送信されたアップリンクサブフレームを、第１のダウンリンクサブフレームの送信の終りから第１の期間後に基地局によって受信すること、及び
アップリンクサブフレームの受信の終りから第２の期間後に、少なくとも１つのユーザ機器へ基地局によって第２のダウンリンクサブフレームを送信すること
を含み、
第１のダウンリンクサブフレーム、アップリンクサブフレーム、第１の期間、及び第２の期間の継続時間の合計は、シンボル継続時間の整数倍に等しいか、又は複数のシンボル継続時間の整数倍の合計に等しい。
【手続補正４】
【補正対象書類名】明細書
【補正対象項目名】００５６
【補正方法】変更
【補正の内容】
【００５６】
また、インクリメンタル値は、基地局が受信モードから送信モードにスイッチングするためのスイッチング継続期間以上である。
【手続補正５】
【補正対象書類名】明細書
【補正対象項目名】００５７
【補正方法】変更
【補正の内容】
【００５７】
また、インクリメンタル値は、シンボル継続時間の整数倍とは異なる。
【手続補正６】
【補正対象書類名】明細書
【補正対象項目名】００５８
【補正方法】変更
【補正の内容】
【００５８】
また、インクリメンタル値は、ユーザ機器が送信モードから受信モードにスイッチングするためのスイッチング継続期間以上である。
【手続補正７】
【補正対象書類名】明細書
【補正対象項目名】００５９
【補正方法】削除
【補正の内容】
【手続補正８】
【補正対象書類名】明細書
【補正対象項目名】００６０
【補正方法】削除
【補正の内容】
【手続補正９】
【補正対象書類名】明細書
【補正対象項目名】００６１
【補正方法】削除
【補正の内容】
【手続補正１０】
【補正対象書類名】明細書
【補正対象項目名】００６２
【補正方法】削除
【補正の内容】
【手続補正１１】
【補正対象書類名】明細書
【補正対象項目名】００６３
【補正方法】削除
【補正の内容】
【手続補正１２】
【補正対象書類名】明細書
【補正対象項目名】００６４
【補正方法】削除
【補正の内容】
【手続補正１３】
【補正対象書類名】明細書
【補正対象項目名】００６５
【補正方法】削除
【補正の内容】
【手続補正１４】
【補正対象書類名】明細書
【補正対象項目名】００６６
【補正方法】削除
【補正の内容】
【手続補正１５】
【補正対象書類名】明細書
【補正対象項目名】００６７
【補正方法】削除
【補正の内容】
【手続補正１６】
【補正対象書類名】明細書
【補正対象項目名】００６８
【補正方法】削除
【補正の内容】
【手続補正１７】
【補正対象書類名】明細書
【補正対象項目名】００６９
【補正方法】削除
【補正の内容】
【手続補正１８】
【補正対象書類名】明細書
【補正対象項目名】００７０
【補正方法】削除
【補正の内容】
【手続補正１９】
【補正対象書類名】明細書
【補正対象項目名】００７１
【補正方法】削除
【補正の内容】
【手続補正２０】
【補正対象書類名】明細書
【補正対象項目名】００７２
【補正方法】削除
【補正の内容】
【手続補正２１】
【補正対象書類名】明細書
【補正対象項目名】００７３
【補正方法】削除
【補正の内容】
【手続補正２２】
【補正対象書類名】明細書
【補正対象項目名】００７４
【補正方法】削除
【補正の内容】
【手続補正２３】
【補正対象書類名】明細書
【補正対象項目名】００７５
【補正方法】削除
【補正の内容】
【手続補正２４】
【補正対象書類名】明細書
【補正対象項目名】００７６
【補正方法】削除
【補正の内容】
【手続補正２５】
【補正対象書類名】明細書
【補正対象項目名】００７７
【補正方法】削除
【補正の内容】
【手続補正２６】
【補正対象書類名】明細書
【補正対象項目名】００７８
【補正方法】削除
【補正の内容】